(57)【特許請求の範囲】
【請求項１】
印加される高周波電圧により振動する振動子と、
該振動子が固定された振動子固定部材と、
前記振動子に形成された摺動部を加圧する加圧手段と、
該加圧手段により前記摺動部が圧接される摺動部材と、
前記振動子を保持して前記摺動部材に対し相対的に駆動される振動子支持部材と、
前記振動子固定部材と前記振動子支持部材とを連結する連結部材と、
を有する振動波モータにおいて、
前記振動子支持部材と前記連結部材とは、前記加圧手段の加圧方向を法線とする平面に前記振動子固定部材を投影した投影領域内の少なくとも一部において締結されることを特徴とする振動波モータ。
【請求項２】
請求項１に記載の振動波モータにおいて、前記振動子支持部材と前記連結部材とは、前記振動子支持部材が前記摺動部材に対し相対的に駆動される方向に沿う二か所において締結されていることを特徴とする振動波モータ。
【請求項３】
請求項１又は２に記載の振動波モータにおいて、前記連結部材はフレーム構造を有することを特徴とする振動波モータ。
【請求項４】
請求項１から３のいずれか一項に記載の振動波モータにおいて、前記加圧手段は前記振動子支持部材に取り付けられていることを特徴とする振動波モータ。
【請求項５】
請求項１から４のいずれか一項に記載の振動波モータにおいて、前記振動子支持部材が前記摺動部材に対し相対的に駆動される方向において、前記振動子固定部材と前記振動子支持部材とはほぼ同じ全長を有することを特徴とする振動波モータ。
【請求項６】
請求項１から５のいずれか一項に記載の振動波モータにおいて、前記振動波モータは、前記振動子が超音波振動を発生する超音波モータであることを特徴とする振動波モータ。
【請求項７】
請求項１から６のいずれか一項に記載の振動波モータと、
該振動波モータの前記振動子支持部材に係合され、レンズを保持するレンズ保持部材と、
前記レンズの光軸の方向に延在し、前記レンズ保持部材に摺動可能に受け入れられているガイドバーと、
を備え、前記振動波モータが前記光軸の方向に直線駆動することで、前記レンズ保持部材が前記ガイドバーに沿って移動することを特徴とする光学機器。
【請求項８】
請求項１から６のいずれか一項に記載の振動波モータと、
該振動波モータの前記摺動部材に固定されたカムリングと、
該カムリングの内周部にカムピンを介して取り付けられ、レンズを保持するレンズ鏡筒と、
を備え、前記振動波モータが前記レンズの光軸を中心に回転駆動することで、前記レンズ鏡筒が前記光軸の方向に移動することを特徴とする光学機器。
【発明の詳細な説明】
【技術分野】
【０００１】
本発明は、光学機器などに適用される振動波モータに関し、特に超音波振動により駆動する超音波モータに関するものである。
【背景技術】
【０００２】
従来から、高周波電圧の印加により周期的に振動する振動子を摺動部材に圧接することで摺動部材を駆動する振動波モータが知られている。
【０００３】
特許文献１に開示された従来技術では、振動波モータの振動板がスペーサーを介して支持部材に固定され、これらの部材で構成された振動子ユニットがスライド部品に固定されている。
【先行技術文献】
【特許文献】
【０００４】
【特許文献１】特開２０１２−２１３２７１号公報
【発明の概要】
【発明が解決しようとする課題】
【０００５】
特許文献１の構成においては、振動子ユニットをスライド部品に固定する際、ネジを受け入れる穴が設けられている固定部はネジなどでスライド部品に締結される。そして支持部材の固定部は振動板の外形から張り出して露出してスライド部品に取り付けられる。そのため、振動波モータが大型化してしまう問題が発生する。
【０００６】
そこで本発明の目的は、上述の問題を解決するためになされたものであり、出力や駆動効率などを減少させることなく、振動波モータの小型化を実現することである。
【課題を解決するための手段】
【０００７】
本発明の振動波モータは、印加される高周波電圧により振動する振動子と、振動子が固定された振動子固定部材と、振動子に形成された摺動部を加圧する加圧手段と、加圧手段により摺動部が圧接される摺動部材と、振動子を保持して摺動部材に対し相対的に駆動される振動子支持部材と、振動子固定部材と振動子支持部材とを連結する連結部材とを有し、振動子支持部材と連結部材とは、加圧手段の加圧方向を法線とする平面に振動子固定部材を投影した投影領域内の少なくとも一部において締結されていることを特徴とする。
【発明の効果】
【０００８】
本発明によれば、出力や駆動効率などを減少させることなく、振動波モータの小型化が実現される。
【図面の簡単な説明】
【０００９】
【図１】本発明の実施例による超音波モータの要部断面図であり、図１（ａ）は振動子と摺動部材との相対駆動方向に直角であって、加圧部材による加圧方向に平行な面で超音波モータを切断した場合の断面図、図１（ｂ）は振動子と摺動部材との相対駆動方向と、加圧部材による加圧方向とに平行な面で超音波モータを切断した場合の断面図を示す。
【図２】本発明の実施例における超音波モータの振動子の要部斜視図を示す。
【図３】本発明の実施例による超音波モータを構成する部品の要部分解斜視図を示す。
【図４】本発明の実施例における超音波モータの連結部材と振動子支持部材との締結部を加圧方向から見た図を示す。
【図５】本発明の超音波モータが直動型駆動の鏡筒に組み込まれた状態を表す要部断面図を示す。
【図６】本発明の超音波モータが回転型駆動の鏡筒に組み込まれた状態を表す要部断面図を示す。
【発明を実施するための形態】
【００１０】
以下に、本発明の好ましい実施の形態を、添付の図面に基づいて詳細に説明する。以下の各実施例の説明において図面との関連において理解を容易ならしめるべく、振動子と摺動部材との相対移動方向を「Ｘ軸」と規定し、説明を行う。また、加圧ばねにより振動子が摺動部材に対して加圧される方向を「Ｚ軸」、Ｘ軸とＺ軸とに直交する方向を「Ｙ軸」と規定し、説明を行う。
【実施例】
【００１１】
図１は本発明の実施例を表す振動波モータとしての超音波モータの要部断面図である。図１（ａ）は超音波モータの振動子と摺動部材との相対駆動方向に直角であって、加圧部材による加圧方向に平行な面で超音波モータを切断した場合の断面図（ＹＺ断面）を示す。図１（ｂ）は振動子と摺動部材との相対駆動方向と、加圧部材による加圧方向とに平行な面で超音波モータを切断した場合の断面図（ＸＺ断面）を示す。また本実施例は直動駆動型および回転駆動型の超音波モータを例に説明するが、その他のタイプへの応用も可能である。
【００１２】
図２は本発明の実施例における超音波モータの振動子の要部斜視図を示す。
【００１３】
１０１は振動板であり、被接合部１０１ａが基台１０２の接合凸部１０２ａに対して接着などにより固定される。
【００１４】
また振動板１０１には圧電素子１０３が公知の接着剤などにより固着されている。圧電素子１０３は高周波電圧が印加されると、振動板１０１が、例えば超音波振動などの振動を発生し、長手方向及び短手方向にそれぞれ共振を起こすように設定されている。なお、振動板１０１と圧電素子１０３とで振動子１００を構成する。
【００１５】
振動子１００の振動板１０１が長手方向及び短手方向にそれぞれ共振を起こすことで、図２に示すように、振動板１０１に形成された摺動部１０１ｂの先端が図に示すような楕円運動Ｒを発生する。この圧電素子１０３に印加する高周波電圧の周波数や位相を変えることで、楕円運動Ｒの回転方向や楕円比を適宜変化させて振動子１００に所望の動きを発生させることができる。よって相手部品である摺動部材であるところのスライダー１０４と振動板１０１の摺動部１０１ｂが摩擦接触することにより、振動子１００に駆動力を発生させ、振動子１００をＸ軸方向に沿ってスライダー１０４に対し相対的に駆動することが可能となる。上記のスライダー１０４は後述のユニット支持部材１１６に図１（ｂ）に示されるネジ１１７によって固定される。１０５は振動子支持部材で、前述の振動子１００が固定された振動子固定部材としての基台１０２とは、後述のとおり連結部材３０１によって連結される。
【００１６】
１０６は加圧板であり後述のように弾性部材１０７を挟んで、前述の圧電素子１０３を図１に示す加圧方向（Ｚ軸方向）に沿って押圧保持するように構成されている。
【００１７】
１０８は加圧バネである。当該加圧バネ１０８はバネ保持部材１０９及びバネ地板１１０の間に組み込まれ、これらの部材から加圧手段であるところの加圧バネユニット１１８が構成される。バネ保持部材１０９のＺ軸上方の先端径大部１０９ａはバネ地板１１０の嵌合部１１０ａに軽圧入で組み込まれるので、組み立て後は加圧バネ１０８のバネ力に抗してユニット状態を維持できる。バネ地板１１０の外径部には、円周方向数か所にバヨネット突部１１０ｂが形成されている。このバヨネット突部は組み込み状態において、振動子支持部材１０５に形成されたバヨネット係合部１０５ａにより加圧方向の位置が画定される。この時バネ保持部材１０９のＺ軸下方の先端押圧部１０９ｂは、加圧バネ１０８の付勢力により前述の加圧板１０６及び弾性部材１０７を介して振動子１００をスライダー１０４に付勢する加圧力を発生する。よって、振動子１００とスライダー１０４が圧接されて摩擦接触することが可能となる。
【００１８】
１１１は振動子支持部材１０５の当接部１０５ｂにネジ１１３で固定される移動板である。振動子支持部材１０５には、当該ネジ１１３が貫通するネジ穴１０５ｃが形成されている。当該移動板１１１にはボール１１２を受け入れ、振動子と摩擦部材との相対移動方向（Ｘ軸方向）に延在してＶ字形状の断面を有する複数のＶ溝部１１１ａが形成され、振動子支持部材１０５を振動子と摩擦部材との相対移動方向にガイドするガイド部を構成している（図１）。
【００１９】
１１５はカバープレートで、ユニット支持部材１１６に公知のネジ等により固定される。当該カバープレート１１５も前述のガイド部の一部を構成しており、上述の移動板１１１のＶ溝部１１１ａに対向する位置に設けられた振動子と摩擦部材との相対移動方向（Ｘ軸方向）に延在してＶ字形状の断面を有するＶ溝部１１５ａを有する。Ｖ溝部１１１ａとＶ溝部１１５ａとによって、前述のボール１１２を挟持する。よって、振動子１００を備える振動子支持部材１０５は、振動子と摩擦部材との相対移動方向に沿って、スライダー１０４に対し相対的に駆動され、移動可能となる。
【００２０】
次に本発明の基台１０２と振動子支持部材１０５との連結について図３及び図４を用いて説明する。
【００２１】
図３は本発明の実施例による超音波モータを構成する部品の要部分解斜視図である。
【００２２】
図４は本発明の実施例による超音波モータにおける連結部材と振動子支持部材との締結部を加圧方向（Ｚ軸方向）から見た図である。
【００２３】
３０１は連結部材であり、例えばバネ性を有するステンレスの板材により構成されている。当該連結部材３０１には振動子支持部材１０５との締結が行われるネジ穴部３０１ａが形成されている。また、振動子支持部材１０５に固定された移動板１１１には雌ネジ部１１１ｂが形成され、止めネジ１１３により連結部材３０１と振動子支持部材１０５とが締結される。この、ネジ穴部３０１ａと雌ネジ部１１１ｂ、さらに振動子支持部材１０５に形成されたネジ穴１０５ｃにより締結部３０３が構成される（図１（ｂ））。当該締結部３０３は図３及び図４に示すように振動子１００の移動前後方向（Ｘ軸方向）に二か所形成され、振動子支持部材１０５と連結部材３０１との締結をより確実なものにする。さらに連結部材３０１には４か所の折り曲げ部３０１ｂにネジ穴３０１ｃが形成されており、基台１０２に形成されたネジ穴部１０２ｂにネジ３０２により締結される。
【００２４】
前述のように、フレーム構造を有する連結部材３０１と振動子支持部材１０５との締結は、Ｘ軸方向の二か所ネジ穴部３０１ａで行われる。当該ネジ穴部３０１ａの周囲の外形部３０１ｄは図４に示す通り基台１０２のＺ軸方向から見た投影領域内、すなわち、加圧手段の加圧方向を法線とする平面に基台１０２を投影した投影領域内にほぼ存在する。これは図４のＺ軸方向から見たとき、外形部３０１ｄは、前述の振動板１０１に形成された被接合部１０１ａの外形の領域内に存在している。つまり、Ｘ軸方向において振動子１００の全長は、基台１０２と連結部材３０１と振動子支持部材１０５との各全長とほぼ一致している。そして本構成を取ることで、前述の締結部３０３の振動子と摩擦部材との相対移動方向（Ｘ軸方向）の長さを短くし、振動波モータとしての超音波モータの小型化を実現できる。
【００２５】
上述の基台１０２と振動子１００とは先に組み立てることが必要である。この組み立てが終了したのち、今度は連結部材３０１と基台１０２とをネジ３０２により締結することで振動子１００と振動子支持部材１０５との連結が完了する。
【００２６】
このとき、連結部材３０１は前述の通り、フレーム構造を有し、ステンレスの薄板などで構成されることで、加圧方向（Ｚ軸方向）には可撓性を有している。その結果、前述の振動子１００が加圧手段であるところの加圧ユニット１１８により押圧される際、部品公差等により振動子のＺ軸方向の高さに誤差が存在しても、その誤差を吸収してスライダー１０４に対して必要な押圧力を発生させることができる。上述までの構成により本発明の振動波モータである超音波モータが完成する。
【００２７】
図５は本発明の超音波モータが直線駆動型として光学機器の鏡筒部に組み込まれた時の様子を表す要部断面図である。この図において上述の実施例と重複する構成部品に関しては同一符号が記してある。５０１は第一のレンズ５０２を保持する第一レンズ保持部材、５０３は第三のレンズ５０４を保持する第三レンズ保持部材である。当該第三レンズ保持部材５０３の外周部は筒状部５０３ａを有しており、先端部５０３ｂで第一レンズ保持部材５０１と不図示のネジなどにより締結される。筒状部５０３ａの外径部の一部には、上述の超音波モータが固定されるユニット受け部５０３ｃが設けられており、公知のネジなどにより着脱自在に固定される。また筒状部５０３ａの内径部には第二のレンズ５０６を保持する第二レンズ保持部材５０５が配置される。当該第二のレンズ５０６は合焦レンズとして本発明の振動波モータである超音波モータにより光軸Ｃに沿って移動する。この時、第二レンズ保持部材５０５は公知のガイドバー５０７と軸受け部５０５ａにおいて相対的に摺動可能に受け入れられているので、第二のレンズを光軸Ｃに沿って移動させることを可能としている。第二レンズ保持部材５０５と前述の振動子支持部材１０５との連結は、例えば振動子支持部材１０５に設けられた係合ピン１０５ｄと第二レンズ保持部材５０５に設けられた被係合部５０５ｂとの係合によってなされてもよいし、公知のラックと係合ピンによってなされてもよい。
【００２８】
図６は本発明の実施例である超音波モータが回転駆動型として光学機器の鏡筒部に組み込まれた時の様子を表す要部断面図である。超音波モータを構成する部品は上述の直動型のものとほとんど同じであるが、前述のスライダー１０４は光軸Ｃの方向が長手方向となる直線状で構成されていたのに対して、図６のスライダー６０１は光軸Ｃの周りに回転可能なリング状で構成される。６０２は超音波モータユニットであり、前述の実施例で説明した超音波モータの構成部品により構成されているが、前述のカバープレート１１５や、ユニット支持部材１１６は回転駆動に合わせて円形状になしてある。スライダー６０１には公知のカムリング６０３が固定されている。６０４は直進案内筒で、カムリング６０３の内周部に相対回転が自在に配置される。また当該直進案内筒６０４はカメラ本体に公知のバヨネットにより着脱されるマウント６０５に固定される。カムリング６０３に形成された不図示のカム溝と直進案内筒６０４に形成された不図示の直進案内溝に後述の各撮影レンズ群に固定されたカムフォロアが摺動自在に入れられる。６０６は外装筒であり前述のカムリング６０３の外周部に配置される外観部品を構成する。６０７は第一撮影レンズ群であり、第一レンズ群鏡筒６０８に保持されるとともに光軸方向の後端部にはカムピン６０９が固設されている。６１０は第二撮影レンズ群であり、第二レンズ群鏡筒６１１に保持されるとともに光軸方向の後端部にはカムピン６１２が固設されている。６１３は第三撮影レンズ群であり、第三レンズ群鏡筒６１４に保持されるとともに光軸方向の後端部にはカムピン６１５が固設されている。
【００２９】
上述までの構成により回転型の超音波モータによる撮影レンズ鏡筒が完成する。この状態において超音波モータにより発生される駆動力によりスライダー６０１が光軸Ｃの周りに回転すると、一体に固定されたカムリング６０３も光軸Ｃを中心として回転する。この動きに伴い前述第一、第二、第三の撮影レンズ群は前述カム溝と直進案内溝の作用により各々のカムピン６０９、６１２、６１５はそれぞれ光学設計で規定された位置に進退駆動され、撮影レンズの撮影倍率を変化させることができる。
【００３０】
上述の実施例は撮影レンズの変倍動作について説明した。同様に合焦レンズの合焦動作を行わせることも可能である。
【００３１】
以上、本発明に関わる振動波モータである超音波モータ、及びそれを組み込んだ光学機器の鏡筒に関してその具体例を詳述したが、本発明は上記実施例に限定されるものではなく、請求項記載の範囲に示したものであればどのような形態をとることも可能である。
【産業上の利用可能性】
【００３２】
光学機器の小型化を達成しつつ、光学機器の駆動制御を精度よく行うことができる。
【符号の説明】
【００３３】
１００  振動子
１０１  振動板
１０２  基台
１０３  圧電素子
１０４  スライダー
１０５  振動子支持部材
１０６  加圧板
１０７  弾性部材
１０８  加圧バネ
１０９  バネ保持部材
１１０  バネ地板
１１１  移動板
１１２  ボール
１１３  ネジ
１１５  カバープレート
１１６  ユニット支持部材
３０１  連結部材
３０２  ネジ
３０３  締結部
５０１  第一レンズ保持部材
５０２  第一のレンズ
５０３  第三レンズ保持部材
５０４  第三のレンズ
５０５  第二レンズ保持部材
５０６  第二のレンズ
５０７  ガイドバー
６０１  スライダー
６０２  超音波モータユニット
６０３  カムリング
６０４  直進案内筒
６０５  マウント
６０６  外装筒
６０７  第一撮影レンズ群
６０８  第一レンズ群鏡筒
６０９、６１２、６１５  カムピン
６１０  第二撮影レンズ群
６１１  第二レンズ群鏡筒
６１３  第三撮影レンズ群
６１４  第三レンズ群鏡筒
Ｃ  光軸
【図１】
0006410568.tif 000002
【図２】
0006410568.tif 000003
【図３】
0006410568.tif 000004
【図４】
0006410568.tif 000005
【図５】
0006410568.tif 000006
【図６】
0006410568.tif 000007